(57)【要約】【課題】ＰＬＣ信号に対してノイズ源となる電気機器と、ＰＬＣモデムとを共に接続することができる複数口プラグ及びテーブルタップを提供する。【解決手段】電源コンセントに接続して使用され、複数のサービスコンセント３ａ、３ｂを有する複数口プラグＰ１。前記複数のサービスコンセント３ａ、３ｂのうち少なくとも一口はノイズフィルター４を介さずに電源を供給し、且つ、残りのサービスコンセントはノイズフィルター４を介して電源を供給するように構成されている。  【選択図】      図２
2008236290.tif 000002
【特許請求の範囲】
【請求項１】
電源コンセントに接続して使用され、複数のサービスコンセントを有する複数口プラグであって、前記複数のサービスコンセントのうち少なくとも一口はノイズフィルターを介さずに電源を供給し、且つ、残りのサービスコンセントはノイズフィルターを介して電源を供給するように構成されていることを特徴とする複数口プラグ。
【請求項２】
電源コンセントに接続して使用され、複数のサービスコンセントを有する複数口プラグであって、前記複数のサービスコンセントはノイズフィルターを介して電源を供給するように構成されており、且つ、前記複数口プラグは、前記複数のサービスコンセントのうち少なくとも一口のサービスコンセントについて、前記ノイズフィルターを介さずに電源を供給し得るように配線の切り替えを行う切替スイッチを備えていることを特徴とする複数口プラグ。
【請求項３】
電源コンセントに接続して使用され、複数のサービスコンセントを有するテーブルタップであって、前記複数のサービスコンセントのうち少なくとも一口はノイズフィルターを介さずに電源を供給し、且つ、残りのサービスコンセントはノイズフィルターを介して電源を供給するように構成されていることを特徴とするテーブルタップ。
【請求項４】
電源コンセントに接続して使用され、複数のサービスコンセントを有するテーブルタップであって、前記複数のサービスコンセントはノイズフィルターを介して電源を供給するように構成されており、且つ、前記テーブルタップは、前記複数のサービスコンセントのうち少なくとも一口のサービスコンセントについて、前記ノイズフィルターを介さずに電源を供給し得るように配線の切り替えを行う切替スイッチを備えていることを特徴とするテーブルタップ。
【発明の詳細な説明】
【技術分野】
【０００１】
本発明は、複数のサービスコンセントを有する複数口プラグ及びテーブルタップに関する。さらに詳しくは、電気機器からのノイズが配電線側へ流れるのを遮断するノイズフィルターを備えた複数口プラグ及びテーブルタップに関する。
【背景技術】
【０００２】
電力線通信（ＰＬＣ:Power Line Communication）は、変電所から各家庭に電力を送る配電線や家庭内に張り巡らされている屋内配電線などの電力線を信号伝送路として通信を行う技術である。かかるＰＬＣ通信では、電力線に接続されている一般の家電製品などから、ＰＬＣ通信で使用する周波数帯のノイズが当該電力線に流れると、このノイズとＰＬＣ信号の区別ができなくなるため、ＰＬＣ通信本来の伝送能力が発揮できない場合が発生する。すなわち、ノイズの影響によりＰＬＣ通信の通信速度が低下したり、さらには通信自体が不可能になったりすることがある。
【発明の開示】
【発明が解決しようとする課題】
【０００３】
そこで、ＰＬＣ信号に対してノイズ源となる電気機器がコンセントに接続されても、当該ノイズが配電線に流れ込むのを阻止するノイズフィルターを内蔵したプラグが提案されている。また、このようなプラグを、一箇所のコンセントでの利用機器数を増やすために、複数のサービスコンセントを有する複数口プラグに適用することが考えられるが、この複数口プラグでは、サービス側は全てノイズフィルターを介した後の出力であるので、ここにＰＬＣ機器（ＰＬＣモデム）を接続しても屋内配線側にＰＬＣ信号が出て行かないので、ＰＬＣ通信を行なうことができない。
【０００４】
したがって、コンセント口が一つしかない場合は、前記複数口プラグを用いても当該コンセント口にＰＬＣモデムを接続することができず、別の場所のコンセントにＰＬＣモデムを接続する必要があり、煩雑である。
【０００５】
本発明は、このような事情に鑑みてなされたものであり、ＰＬＣ信号に対してノイズ源となる電気機器と、ＰＬＣモデムとを共に接続することができる複数口プラグ及びテーブルタップを提供することを目的としている。
【課題を解決するための手段】
【０００６】
本発明の第１の観点に係る複数口プラグは、電源コンセントに接続して使用され、複数のサービスコンセントを有する複数口プラグであって、前記複数のサービスコンセントのうち少なくとも一口はノイズフィルターを介さずに電源を供給し、且つ、残りのサービスコンセントはノイズフィルターを介して電源を供給するように構成されていることを特徴としている。
【０００７】
本発明の第１の観点に係る複数口プラグでは、複数のサービスコンセントのうち少なくとも一口はノイズフィルターを介さずに電源を供給し、且つ、残りのサービスコンセントはノイズフィルターを介して電源を供給することができるので、一つの複数口プラグに、ＰＬＣモデムと、ＰＬＣ信号に対してノイズ源となる電気機器とを接続することができ、非常に使い勝手がよくなる。そして、前記電気機器には、ノイズフィルターを介して電源が供給されるので、ノイズが屋内配線に入り込むのが阻止され、その結果、ＰＬＣ通信の通信速度を向上させることができる。また、ＰＬＣモデムは、ノイズフィルターを介さずに屋内配線と接続されるので、当該屋内配線にＰＬＣ信号を送信することができる。
【０００８】
また、本発明の第２の観点に係る複数口プラグは、電源コンセントに接続して使用され、複数のサービスコンセントを有する複数口プラグであって、前記複数のサービスコンセントはノイズフィルターを介して電源を供給するように構成されており、且つ、前記複数口プラグは、前記複数のサービスコンセントのうち少なくとも一口のサービスコンセントについて、前記ノイズフィルターを介さずに電源を供給し得るように配線の切り替えを行う切替スイッチを備えていることを特徴としている。
【０００９】
本発明の第２の観点に係る複数口プラグは切替スイッチを備えており、この切替スイッチにより、複数のサービスコンセントのうち少なくとも一口のサービスコンセントについて、ノイズフィルターを介さずに電源を供給し得るように配線の切り替えを行なうことができる。したがって、ＰＬＣモデムを接続したいときに、前記切替スイッチを操作することで、複数のサービスコンセントのうち少なくとも一口のサービスコンセントを、ノイズフィルターを介さずに電源を供給し得るサービスコンセントとすることができ、非常に使い勝手がよくなる。そして、電気機器には、ノイズフィルターを介して電源が供給されるので、ノイズが屋内配線に入り込むのが阻止され、その結果、ＰＬＣ通信の通信速度を向上させることができる。また、ＰＬＣモデムは、ノイズフィルターを介さずに屋内配線と接続されるので、当該屋内配線にＰＬＣ信号を送信することができる。
【００１０】
本発明の第３の観点に係るテーブルタップは、電源コンセントに接続して使用され、複数のサービスコンセントを有するテーブルタップであって、前記複数のサービスコンセントのうち少なくとも一口はノイズフィルターを介さずに電源を供給し、且つ、残りのサービスコンセントはノイズフィルターを介して電源を供給するように構成されていることを特徴としている。
【００１１】
本発明の第３の観点に係るテーブルタップでは、複数のサービスコンセントのうち少なくとも一口はノイズフィルターを介さずに電源を供給し、且つ、残りのサービスコンセントはノイズフィルターを介して電源を供給することができるので、一つのテーブルタップに、ＰＬＣモデムと、ＰＬＣ信号に対してノイズ源となる電気機器とを接続することができ、非常に使い勝手がよくなる。そして、前記電気機器には、ノイズフィルターを介して電源が供給されるので、ノイズが屋内配線に入り込むのが阻止され、その結果、ＰＬＣ通信の通信速度を向上させることができる。また、ＰＬＣモデムは、ノイズフィルターを介さずに屋内配線と接続されるので、当該屋内配線にＰＬＣ信号を送信することができる。
【００１２】
また、本発明の第４の観点に係るテーブルタップは、電源コンセントに接続して使用され、複数のサービスコンセントを有するテーブルタップであって、前記複数のサービスコンセントはノイズフィルターを介して電源を供給するように構成されており、且つ、前記テーブルタップは、前記複数のサービスコンセントのうち少なくとも一口のサービスコンセントについて、前記ノイズフィルターを介さずに電源を供給し得るように配線の切り替えを行う切替スイッチを備えていることを特徴としている。
【００１３】
本発明の第４の観点に係るテーブルタップは切替スイッチを備えており、この切替スイッチにより、複数のサービスコンセントのうち少なくとも一口のサービスコンセントについて、ノイズフィルターを介さずに電源を供給し得るように配線の切り替えを行なうことができる。したがって、ＰＬＣモデムを接続したいときに、前記切替スイッチを操作することで、複数のサービスコンセントのうち少なくとも一口のサービスコンセントを、ノイズフィルターを介さずに電源を供給し得るサービスコンセントとすることができ、非常に使い勝手がよくなる。そして、電気機器には、ノイズフィルターを介して電源が供給されるので、ノイズが屋内配線に入り込むのが阻止され、その結果、ＰＬＣ通信の通信速度を向上させることができる。また、ＰＬＣモデムは、ノイズフィルターを介さずに屋内配線と接続されるので、当該屋内配線にＰＬＣ信号を送信することができる。
【発明の効果】
【００１４】
本発明の複数口プラグ及びテーブルタップによれば、ＰＬＣ信号に対してノイズ源となる電気機器と、ＰＬＣモデムとを共に接続することができる。
【発明を実施するための最良の形態】
【００１５】
以下、添付図面を参照しつつ、本発明の複数口プラグ及びテーブルタップの各実施の形態を詳細に説明する。
【００１６】
図１は本発明の一実施の形態に係る複数口プラグＰ１の斜視説明図であり、この複数口プラグＰ１は、室内の壁などに配設された電源コンセント（図示せず）に接続して使用され、略直方体形状のプラグ本体１の一面には、前記電源コンセントの差込口に差し込まれる一対の刃（金具）２が配設されている。また、前記一対の刃２が設けられる面と反対側の面１ａには、２つのサービスコンセント３ａ、３ｂが配設されている。一方のサービスコンセント３ａはＰＬＣ機器（ＰＬＣモデム）用のサービスコンセントであり、他方のサービスコンセント３ｂは、家電製品などの、ＰＬＣ通信で使用する周波数帯のノイズを発生する可能性がある一般機器用のサービスコンセントである。なお、各サービスコンセントのプラグ差込口の近傍に、接続ミスを防ぐために、例えば「ＰＬＣ機器用」、「一般機器用」など接続対象とする機器を表示するようにしてもよい。また、機器名の記載に加えて、又は機器名の記載に代えて、少なくとも前記プラグ差込口周辺を、接続対象とする機器の種類に応じて色分けするようにしてもよい。
【００１７】
プラグ本体１の内部には、図２に示される構成の内部回路が設けられている。図２において、「出力１」はＰＬＣ機器接続用サービスコンセント３ａに対応しており、「出力２」は一般機器用サービスコンセント３ｂに対応している。「出力２」の経路中には、一般機器において発生するノイズが電源コンセントを介して配電線に流れるのを遮断するためのノイズフィルター４が設けられており、このノイズフィルター４は、一対のコイル５と、コンデンサ６とで構成されている。また、一方のコイルの入力側には、ヒューズ７が配設されている。このヒューズ７は、前記コイル５に定格以上の電流が流れて異常発熱しないようにするため、およびコンデンサ６が劣化によりブレークダウンするなどの障害が発生したときに、障害部分を電源系から切り離すことを目的としており、また、雷サージなどの侵入時にコンデンサ６がブレークダウンするのを防止することも目的としている。なお、前記ヒューズ７に代えて、ブレーカを用いることも可能であるが、ブレーカの場合、複数口プラグＰ１が大型化し、高価格化するという不都合がある。また、前記雷サージ対策として、一対のコイルの入力側線路にアレスタ８を挿入することも考えられるが、このアレスタ８は、大電流侵入時には破壊する可能性があることや、経年劣化が考えられるため、ヒューズ７を入れておくことで、アレスタ８に障害が発生したような場合にも障害発生部位を切り離し、ＰＬＣ通信はそのまま機能するように維持することができる。
【００１８】
本実施の形態に係る複数口プラグＰ１は、２つのサービスコンセントのうち一口はノイズフィルターを介さずに電源を供給し、且つ、残りのサービスコンセントはノイズフィルターを介して電源を供給することができるので、１つの複数口プラグに、ＰＬＣモデムと、ＰＬＣ信号に対してノイズ源となる電気機器とを接続することができ、非常に使い勝手がよくなる。
【００１９】
図３は本発明の他の実施の形態に係る複数口プラグＰ２の斜視説明図であり、図４は，この複数口プラグＰ２の内部回路の説明図である。この複数口プラグＰ２は、前記複数口プラグＰ１と同様に、プラグ本体１１の一面に一対の刃金具１２が配設されるとともに、前記一対の刃１２が設けられる面と反対側の面１１ａに２つのサービスコンセント１３ａ、１３ｂが配設されている。一方のサービスコンセント１３ａは一般機器用のサービスコンセントであり、図４において「出力１」に対応している。他方のサービスコンセント１３ｂは、後述する切替スイッチの操作により一般機器用とＰＬＣ機器用とを切り替えることができるサービスコンセントであり、図４において「出力２」に対応している。
【００２０】
プラグ本体１１の側面１１ｃには２つの切替スイッチ１８、１９が設けられている。切替スイッチ１８により連動スイッチＳＷ１が開閉され、切替スイッチ１９により連動スイッチＳＷ２が開閉されるように構成されている。そして、前記切替スイッチ１８、１９のオンオフ操作により、前記サービスコンセント１３ａ、１３ｂのうち、サービスコンセント１３ｂを一般機器用とすることもできるし、またＰＬＣ機器用とすることもできる。具体的には、「出力１」の経路中には、一対のコイル１５と、コンデンサ１６とからなるノイズフィルター１４が配設されており、この「出力１」側のサービスコンセント１３ａに接続される電気機器にて発生したノイズが配電線に流れるのを防止している。そして、連動スイッチＳＷ１をＯＦＦにし、且つ連動スイッチＳＷ２をＯＮにすると、「出力２」側のサービスコンセント１３ｂについても、ノイズフィルター１４を介して電源が供給される。また、連動スイッチＳＷ１をＯＮにし、且つ連動スイッチＳＷ２をＯＦＦにすると、「出力２」側のサービスコンセント１３ｂに対しノイズフィルター１４を介さずに電源を供給することができ、したがって、当該サービスコンセント１３ｂにＰＬＣ機器を接続することが可能となる。
【００２１】
本実施の形態に係る複数口プラグＰ２では、ＰＬＣモデムを接続したいときに、前記切替スイッチ１８、１９を操作することで、２つのサービスコンセントのうち一口のサービスコンセントを、ノイズフィルターを介さずに電源を供給し得るサービスコンセントとすることができ、非常に使い勝手がよくなる。なお、本実施の形態では、２つの切替スイッチと、各切替スイッチに対応する連動スイッチを利用して、一般機器用サービスコンセントとＰＬＣ機器用サービスコンセントとの切替を行っているが、１つの切替スイッチで電磁リレーを駆動し、この電磁リレーのａ接点及びｂ接点を利用することで、前述した２つの連動スイッチと同じ機能を達成することができる。
【００２２】
図５は本発明のさらに他の実施の形態に係る複数口プラグＰ３の斜視説明図であり、図６は，この複数口プラグＰ３の内部回路の説明図である。この複数口プラグＰ３は、図３〜４に示される複数口プラグＰ２とノイズフィルターの構成が異なっており、その結果、切替スイッチの数を１つとすることができる。
【００２３】
複数口プラグＰ３は、前記複数口プラグＰ１と同様に、プラグ本体２１の一面に一対の刃２２が配設されるとともに、前記一対の刃２２が設けられる面と反対側の面２１ａに２つのサービスコンセント２３ａ、２３ｂが配設されている。一方のサービスコンセント２３ａは一般機器用のサービスコンセントであり、図６において「出力１」に対応している。他方のサービスコンセント２３ｂは、後述する切替スイッチの操作により一般機器用とＰＬＣ機器用とを切り替えることができるサービスコンセントであり、図６において「出力２」に対応している。
【００２４】
プラグ本体２１の側面２１ｃに切替スイッチ２８が設けられている。この切替スイッチ２８により連動スイッチＳＷ３が開閉されるように構成されている。そして、前記切替スイッチ２８のオンオフ操作により、前記サービスコンセント２３ａ、２３ｂのうち、サービスコンセント２３ｂを一般機器用とすることもできるし、またＰＬＣ機器用とすることもできる。具体的には、「出力１」の経路中には、二対のコイル２５ａ、２５ｂと、各対のコイル間に挿入されたコンデンサ２６とからなるノイズフィルター２４が配設されており、この「出力１」側のサービスコンセント２３ａに接続される電気機器にて発生したノイズが配電線に流れるのを防止している。そして、連動スイッチＳＷ３をＯＦＦにすると、「出力２」側のサービスコンセント２３ｂについても、ノイズフィルター２４を介して電源が供給される。また、連動スイッチＳＷ３をＯＮにすると、「出力２」側のサービスコンセント２３ｂに対しノイズフィルター２４を介するルートとノイズフィルター２４を介さないルートとが存在するが、図６に示されるフィルター構成の場合、コイルを経由してコンデンサに接続されるため、ＰＬＣ信号がほとんど減衰しない。したがって、当該サービスコンセント２３ｂにＰＬＣ機器を接続することが可能となる。本実施の形態に係る複数口プラグＰ３は、図３に示される複数口プラグＰ２と異なり切替スイッチが１つでよいので構造が簡略化されるとともに、一般機器用のサービスコンセントをＰＬＣ機器用のサービスコンセントにするための切替スイッチの操作も簡素化されるという利点がある。
【００２５】
図７は本発明の一実施の形態に係るテーブルタップＴ１の斜視説明図であり、図８は、このテーブルタップＴ１の内部回路の説明図である。このテーブルタップＴ１は、室内の壁などに配設された電源コンセント（図示せず）に接続して使用され、略直方体形状のタップ本体３１の一面には、２つのサービスコンセント３３ａ、３３ｂが配設されている。一方のサービスコンセント３３ａはＰＬＣ機器（ＰＬＣモデム）用のサービスコンセントであり、他方のサービスコンセント３３ｂは、家電製品などの、ＰＬＣ通信で使用する周波数帯のノイズを発生する可能性がある一般機器用のサービスコンセントである。また、タップ本体３１の一側面からは電源コード３８が延設されており、この電源コード３８の先端には前記電源コンセントに差し込まれる電源プラグ３９が配設されている。
【００２６】
図８において、「出力１」はＰＬＣ機器接続用サービスコンセント３３ａに対応しており、「出力２」は一般機器用サービスコンセント３３ｂに対応している。「出力２」の経路中には、一般機器において発生するノイズが電源コンセントを介して配電線に流れるのを遮断するためのノイズフィルター３４が設けられており、このノイズフィルター３４は、一対のコイル３５と、コンデンサ３６とで構成されている。また、一方のコイルの入力側には、ヒューズ３７が配設されている。
【００２７】
本実施の形態に係るテーブルタップＴ１では、２つのサービスコンセントのうち一口はノイズフィルターを介さずに電源を供給し、且つ、残りのサービスコンセントはノイズフィルターを介して電源を供給することができるので、１つのテーブルタップに、ＰＬＣモデムと、ＰＬＣ信号に対してノイズ源となる電気機器とを接続することができ、非常に使い勝手がよくなる。
【００２８】
図９は本発明の他の実施の形態に係るテーブルタップＴ２の斜視説明図であり、図１０は，このテーブルタップＴ２の内部回路の説明図である。このテーブルタップＴ２は、図６に示されるノイズフィルターと同様の構成のノイズフィルターを内部回路に有しており、その結果、１つの切替スイッチの操作でサービスコンセントの対象機器を切り替えることができる。
【００２９】
テーブルタップＴ２は、前記テーブルタップＴ１と同様に、略直方体形状のタップ本体４１の一面には、２つのサービスコンセント４３ａ、４３ｂが配設されている。一方のサービスコンセント４３ａは一般機器用のサービスコンセントであり、図１０において「出力１」に対応している。他方のサービスコンセント４３ｂは、後述する切替スイッチの操作により一般機器用とＰＬＣ機器用とを切り替えることができるサービスコンセントであり、図１０において「出力２」に対応している。
【００３０】
タップ本体４１の側面４１ｃに切替スイッチ４８が設けられている。この切替スイッチ４８により連動スイッチＳＷ４が開閉されるように構成されている。そして、前記切替スイッチ４８のオンオフ操作により、前記サービスコンセント４３ａ、４３ｂのうち、サービスコンセント４３ｂを一般機器用とすることもできるし、またＰＬＣ機器用とすることもできる。具体的には、「出力１」の経路中には、二対のコイル４５ａ、４５ｂと、各対のコイル間に挿入されたコンデンサ４６とからなるノイズフィルター４４が配設されており、この「出力１」側のサービスコンセント４３ａに接続される電気機器にて発生したノイズが配電線に流れるのを防止している。そして、連動スイッチＳＷ４をＯＦＦにすると、「出力２」側のサービスコンセント４３ｂについても、ノイズフィルター４４を介して電源が供給される。また、連動スイッチＳＷ４をＯＮにすると、「出力２」側のサービスコンセント４３ｂに対しノイズフィルター４４を介するルートとノイズフィルター４４を介さないルートとが存在するが、図１０に示されるフィルター構成の場合、コイルを経由してコンデンサに接続されるため、ＰＬＣ信号がほとんど減衰しない。したがって、当該サービスコンセント４３ｂにＰＬＣ機器を接続することが可能となる。なお、本実施の形態において、ノイズフィルターとして、図４に示される構成のものを採用し、２つの切替スイッチによって、サービスコンセントの対象機器を切り替えることもできる。
なお、前述した実施の形態に係る複数口プラグ又はテーブルタップにおいて、ノイズフィルターを設けると通常の電流容量を確保するためにはフィルター部のコイルの大きさが大きくなり、現実的でなくなるため電流容量に制約がでる（通常１５Ａまで可のところが１０Ａに制約されるなど）ことになるが、ノイズフィルターを設けないラインがあると、１５Ａの定格までフルに利用することができ、大きな容量の電気機器を接続することができる。
【００３１】
以上の実施の形態では、サービスコンセントの数を２としているが、本発明はこれに限定されるものではなく、３以上であってもよい。また、切替スイッチの構成として、例示したもの以外に、スライドスイッチ、トグルスイッチ、押しボタン式スイッチなどを適宜用いることができる。さらに、ＰＬＣ機器の電源プラグの先端面に、一対の刃以外の第３の突起体を形成するとともに、サービスコンセントのプラグ差込口付近に前記突起体が挿入可能な孔を形成し、この孔に挿入された突起体により機械的に接点を開閉することで、当該サービスコンセントの対象機器を切り替えるようにしてもよい。
【００３２】
なお、今回開示された実施の形態はすべての点において単なる例示であって制限的なものではないと考えられるべきである。本発明の範囲は、前記した意味ではなく、特許請求の範囲によって示され、特許請求の範囲と均等の意味及び範囲内のすべての変更が含まれることが意図される。
【図面の簡単な説明】
【００３３】
【図１】本発明の複数口プラグの一実施の形態の斜視説明図である。
【図２】図１に示される複数口プラグの内部回路の説明図である。
【図３】本発明の複数口プラグの他の実施の形態の斜視説明図である。
【図４】図３に示される複数口プラグの内部回路の説明図である。
【図５】本発明の複数口プラグのさらに他の実施の形態の斜視説明図である。
【図６】図５に示される複数口プラグの内部回路の説明図である。
【図７】本発明のテーブルタップの一実施の形態の斜視説明図である。
【図８】図７に示されるテーブルタップの内部回路の説明図である。
【図９】本発明のテーブルタップの他の実施の形態の斜視説明図である。
【図１０】図９に示されるテーブルタップの内部回路の説明図である。
【符号の説明】
【００３４】
１            プラグ本体
３            サービスコンセント
４            ノイズフィルター
７            ヒューズ
１１            プラグ本体
１３            サービスコンセント
１４            ノイズフィルター
１８            切替スイッチ
１９            切替スイッチ
２１            プラグ本体
２４            ノイズフィルター
２８            切替スイッチ
３１            タップ本体
３３            サービスコンセント
３４            ノイズフィルター
３７            ヒューズ
３８            電源コード
３９            電源プラグ
４１            タップ本体
４３            サービスコンセント
４４            ノイズフィルター
４８            切替スイッチ
Ｐ１、Ｐ２
Ｐ３      複数口プラグ
Ｔ１、Ｔ２      テーブルタップ
ＳＷ１、ＳＷ２、
ＳＷ３、ＳＷ４  連動スイッチ        
【図１】
2008236290.tif 000003
【図２】
2008236290.tif 000004
【図３】
2008236290.tif 000005
【図４】
2008236290.tif 000006
【図５】
2008236290.tif 000007
【図６】
2008236290.tif 000008
【図７】
2008236290.tif 000009
【図８】
2008236290.tif 000010
【図９】
2008236290.tif 000011
【図１０】
2008236290.tif 000012